(57)【特許請求の範囲】
【請求項１】
表面に端部にまで達する溝状の凹部が複数本縦方向に沿って並列して形成されている建築板本体の縦方向両端又は一端を表面から該凹部の深さよりも深く切欠いて嵌合突部を形成したことを特徴とする建築板。
【請求項２】
基板と該基板に立設され両側に嵌合挟持部を有する板受け部とからなる接合金具を下地面上に取付け、該接合金具の板受け部の両側の嵌合挟持部に、接合する一対の建築板の嵌合突部を夫々嵌合挟持した請求項１に記載の建築板の接合方法。
【請求項３】
該接合金具の嵌合挟持部の一方または両方の内側には、該建築板の嵌合突部の端面に当接して該建築板の水平出しまたは垂直出しをするための当接片が差出されている請求項２に記載の建築板の接合方法。
【発明の詳細な説明】
【０００１】
【発明の属する技術分野】
本発明は主として縦継ぎ用外壁板のような建築板および該建築板の接合方法に関するものである。
【０００２】
【従来の技術】
図５に示すようにこの種の建築板(1A)の表面には、通常溝状の凹部(2A)が複数条縦に並列して形成され模様とされているものがある。該凹部(2A)は該建築板(1A)の端部にまで達している。
このような建築板(1A)を使用して外壁を構築するには、例えば壁躯体柱(18)の外側に止着した横胴縁(19)に接合金具(5A)を取付け、該接合金具(5A)によって上下一対の建築板(1A)を接合し固定する。
該接続金具(5A)は上下基板(6A,7A)と、該上下基板(6A,7A) 間に一体的に設けられる板受け部(8A)とからなり、該板受け部(8A)は断面人形状の基幹部(9A)と、該基幹部(9A)の頂部から上下にわたって差出されている庇部(10A) とからなり該庇部(10A) の上下内側と上下基板(6A,7A) との間に上下嵌合挟持部(11A,12A) が形成されている。
該接続金具(5A)は釘(17)等によって該横胴縁(19)に止着され、上下嵌合挟持部(11A,12A) に上下建築板(1A,1A) の下縁および上縁を嵌合挟持することによって、該上下建築板(1A,1A) を壁躯体に接合固定する。
【０００３】
【発明が解決しようとする課題】
上記従来構成では、図６矢印に示すように建築板(1A)の凹部(2A)内を伝って流下する雨水等が、該建築板(1A)の下端部において該凹部(2A)を介して該接合金具(5A)内に侵入し、更に壁内側にまで侵入すると云う問題点がある。
【０００４】
【課題を解決するための手段】
本発明は上記従来の課題を解決するための手段として、表面に端部にまで達する溝状の凹部(2) が複数本縦方向に沿って並列して形成されている建築板(1) 本体の縦方向両端又は一端を表面から該凹部(2) の深さよりも深く切欠いて嵌合突部(3) を形成した建築板を提供するものである。
更に本発明においては、基板(5) と該基板(5) に立設され両側に嵌合挟持部(10,11) を有する板受け部(6) とからなる接合金具(4) を下地面上に取付け、該接合金具(4) の板受け部(6) の両側の嵌合挟持部(10,11) に、接合する一対の建築板(1) の嵌合突部(3) を夫々嵌合挟持した建築板(1) の接合方法が提供される。そして該方法に使用される該接合金具(4) の嵌合挟持部(10,11) の一方または両方の内側には、該建築板(1) の嵌合突部(3) の端面に当接して該建築板(1) の水平出しまたは垂直出しをするための当接片(15)が差出されていることが望ましい。
【０００５】
【作用】
本発明の建築板(1) はその嵌合突部(3) を下地面上に取付けた接合金具(4) の板受け部(8) の嵌合挟持部(10,11) に嵌合挟持せしめることによって、相互接合されそして下地面上に固定される。
該建築板(1) の嵌合突部(3) は、該建築板(1) の表面の溝状の凹部(2) よりも深く切欠いて形成してあるから、該凹部(2) は該切欠きによって削除され、嵌合突部(3) の表面にまでは達していない。したがって接合金具(4) に該建築板(1) の嵌合突部(3) を嵌合した状態では、当然該接合金具(4) の板受け部(6) の嵌合挟持部(10,11) と、該建築板(1) の嵌合突部(3) の表面とは凹部(2) による間隙は存在しない。
したがって該建築板(1) の凹部(2) を流下する雨水は、該接合金具(4) 内には侵入しない。
【０００６】
【実施例】
本発明を図１〜図４に示す一実施例によって説明すれば、建築板(1) は例えば縦継ぎ用外壁板であって、木質繊維補強セメント板等からなり、表面には溝状の凹部(2) が複数本縦に並列して設けられ模様とされている。
該建築板(1) の縦方向両端又は一端を表面から切欠いて嵌合突部(3) が形成されているが、図２に示すように該切欠き深さＤは該建築板(1) の凹部(2) の深さｄよりも深く設定されている（Ｄ＞ｄ）。したがって該建築板(1) の凹部(2) は端部において該切欠きによって削除され、該嵌合突部(3) には該凹部(2) もしくはその痕跡は全く存在しない。
【０００７】
図３には上記建築板(1) を接合し下地面上に固定するための接合金具(4) が示される。該接合金具(4) は基板(5) と、該基板(5) 上に立設されている板受け部(6) とからなり、該基板(5) の上下両縁にはビード(7,7) が形成されており、該板受け部(6) は上下一対のΓ形受け板(8,9) からなり、該受け板(8,9) の内側には該建築板(1) の嵌合突部(3) を嵌合する嵌合挟持部(10,11) が形成されている。
該受け板(8,9) の端縁下側には凸条(12,13) が形成されており、上側の受け板(8) の中間より下側には段部を介して当接面(14)が形成されており、下側の受け板(9) の内側において、該基板(5) の表面からは斜め外側に向かって当接片(15)が差出されている。
【０００８】
上記接合金具(4) は、図４に示すように基板(5) の釘穴(16)を介して釘(17)、ビス等によって、壁躯体柱(18)の外側において該躯体柱(18)間に差渡されている横胴縁(19)に止着される。そして該接合金具(4) の板受け部(6) の上下嵌合挟持部(10,11) には上下建築板(1) の嵌合突部(3) が夫々嵌合挟持される。
【０００９】
この場合、上側の建築板(1) の下側嵌合突部(3) の端面を該接合金具(4) の板受け部(6) の上側の受け板(8) の当接面(14)に当てて水平出しを行ない、下側の建築板(1) の嵌合突部(3) の上側嵌合突部(3) の端面を、該接合金具(4) の板受け部(6) の下側の受け板(9) の内側の当接片(15)の端縁に当てて水平出しを行なう。
【００１０】
上記構成において、図２に示すように建築板(1) の端部の切欠き深さＤは、該建築板(1) の凹部(2) の深さｄよりも深く設定されているので（Ｄ＞ｄ）、該建築板(1) の凹部(2) は端部において削除され、該嵌合突部(3) には該凹部(2) もしくはその痕跡は全く存在しない。
【００１１】
したがって図４に示すように接合金具(4) の板受け部(6) の上下嵌合挟持部(10,11) に嵌合挟持される該建築板(1) の嵌合突部(3) と、該接合金具(4) の板受け部(6) の嵌合挟持部(10,11) との間、即ち該嵌合突部(3) 上面とΓ部受け板(8,9) の下面との間には、該建築板(1) の凹部(2) もしくはその痕跡にもとづく隙間は存在しない。
したがって図４矢印に示すように、該建築板(1) の凹部(2) を伝って流下する雨水等は、該接合金具(4) の表側をバイパスし、該接合金具(4) の内側には侵入しない。
【００１２】
上記実施例は建築板(1) の上下の接合部に関するものであるが、本発明は建築板の左右の接合部（横継ぎ）にも適用することも出来る。
【００１３】
【発明の効果】
本発明では建築板表面の凹部が嵌合突部を切欠き形成する際に該切欠きによって削除されているので、該嵌合突部と接合金具との間に隙間が形成されなくなり、建築板相互の接合部分からの雨水等の侵入が確実に防止される。
【図面の簡単な説明】
図１〜図４は本発明の一実施例を示すものである。
【図１】  建築板の部分斜視図
【図２】  建築板端部の側断面図
【図３】  接合金具の一部省略斜視図
【図４】  建築板接合部分の縦断面図
【図５】  従来例の建築板の部分斜視図
【図６】  従来例の建築板接合部分の縦断面図
【符号の説明】
1         建築板
2         凹部
3         嵌合突部
4         接合金具
5         基板
6         板受け部
8,9       受け板
10,11     嵌合挟持部
15        当接片
【図１】
0003919952.tif 000002
【図２】
0003919952.tif 000003
【図３】
0003919952.tif 000004
【図４】
0003919952.tif 000005
【図５】
0003919952.tif 000006
【図６】
0003919952.tif 000007